(57)【特許請求の範囲】
【請求項１】
装置本体に収納した第一の給紙部の下方域に第二の給紙部を配設し、該第一の給紙部より記録材を反転させながらレジストローラ入口端側に導く反転用給紙パス路の始端側を第二の給紙部の給紙開口位置まで延在開口し、前記給紙部より選択的に給紙された記録材が、いずれも前記給紙パス路で反転されながらレジストローラ入口端側に向けて給送可能に構成した画像形成装置において、
前記記録材を強制湾曲させながら、前記レジストローラ入口端より延在するレジストガイド路に導くためのガイド壁を、反転用給紙パス路内の一側に形成すると共に、
前記第一の給紙部より給紙された記録材先端が当接するガイド壁の所定部位（以下第一のガイド壁部位という）を凹設して幅広のパス路空隙を形成し、
更に前記第１のガイド壁部位より下流側に位置する第二のガイド壁部位を、前記幅広パス路よりレジストガイド路の入口端まで徐々に狭幅になるごとく形成し、
一方、前記給紙開口位置より第１のガイド壁部位に至る第三のガイド壁部位を、前記第二の給紙部よりの記録材のパス路が徐々に狭幅になる如くふくらみをもたせて形成するとともに、前記第一の給紙部に設けた給紙ローラを前記ガイド壁と直接対面させて、該給紙ローラの周面が幅広のパス路の一部をなすように構成したことを特徴とする画像形成装置。
【請求項２】
前記第一の給紙部を装置本体より引き出し可能な給紙カセットで形成すると共に、該給紙カセットの前壁側に前記反転用給紙パス路を設けた事を特徴とする請求項１記載の画像形成装置。
【請求項３】
装置本体に収納した第一の給紙部の下方域に第二の給紙部を配設し、該第一の給紙部より記録材を反転させながらレジストローラ入口端側に導く反転用給紙パス路の始端側を第二の給紙部の給紙開口位置まで延在開口し、前記給紙部より選択的に給紙された記録材が、いずれも前記給紙パス路で反転されながらレジストローラ入口端側に向けて給送可能に構成した画像形成装置において、
前記記録材を強制湾曲させながら、前記レジストローラ入口端より延在するレジストガイド路に導くためのガイド壁を、反転用給紙パス路内の一側に形成すると共に、
前記第一の給紙部より給紙された記録材先端が当接するガイド壁の所定部位（以下第一のガイド壁部位という）を凹設して幅広のパス路空隙を形成し、
更に前記第１のガイド壁部位より下流側に位置する第二のガイド壁部位を、前記幅広パス路よりレジストガイド路の入口端まで徐々に狭幅になるごとく形成し、
一方、前記給紙開口位置より第１のガイド壁部位に至る第三のガイド壁部位を、前記第二の給紙部よりの記録材のパス路が徐々に狭幅になる如くふくらみをもたせて形成し、更にレジストガイド路上空間壁を該ガイド路入り口側にふくらみをもたせてその後レジストローラ入口側に進むに連れ徐々に挟幅に形成した事を特徴とする画像形成装置。
【発明の詳細な説明】
【０００１】
【産業上の利用分野】
本発明は、主としてプリンタ、複写機、ファクシミリ若しくはこれらの複合機として適用され、サイズの異なる記録材が選択的に給紙可能に構成した画像形成装置に係り、特に複数の給紙部を備えた画像形成装置として適用される発明に関する。
【０００２】
【従来の技術】
従来よりプリンタ、複写機においては、Ａ４その他の定型紙が収納されている給紙カセットと別個に手差し給紙部を設け、葉書や給紙カセットに収納された記録紙と異なる種類の記録紙を印刷可能に、又手動にて両面コピーを可能に構成している。
又、画像形成装置の小型化と偏平化を図る為に、装置本体に収納する給紙カセットを単一且つ偏平にし、他のサイズの記録材又は／及び多数枚の記録材を収納するオプション給紙ユニットをユーザの希望により装着可能にしたシステムも存在する。
更に、装置本体の記録材収納部に収納する記録材サイズを変更可能に、該給紙カセットをユニバーサルカセットで形成する装置も提案されている。
【０００３】
一方、前記記録材にトナー像を転写させる感光体ドラムにおいては、給紙される記録紙サイズに対応してトナー像の形成が行われるわけであるが、前記のように複数の給紙部より異なるサイズの記録材が選択的に感光体ドラムの転写位置に給送される場合、給紙部側でその給送される記録材のサイズを予め検知しておかなければ、感光体ドラム上に印字されるトナー像サイズと記録材サイズが異なってしまう場合があり、このような場合記録材に印字後の残余のトナー像が感光体ドラムから転写ローラ側に付着し次位の記録材の裏面を汚染してしまうのみならず、感光体ドラムにダメージを発生する。
【０００４】
かかる欠点を解消する為に各サイズ毎に記録材のサイズを検知するサイズ検知センサを設けているが、かかる構成では構成の煩雑化と共に、該センサ信号を装置本体側の基板に導くためのハーネス等を装置内に引回すことになり、ハーネス等の破損の恐れがある。
更に、記録材の紙無しセンサも前記給紙カセットとともにオプションユニット側のカセットにも夫々付けなければならず、構成の煩雑化とハーネスの引回しが一層煩雑化する。
【０００５】
また本願出願人の出願した実願平４−１１５６７に示すように、給紙カセットを装置本体のカセット収納部内に収納可能に構成すると共に該カセット下面側の装置底面側にオプション給紙ユニットを配設し、前記給紙カセットの記録材収納部と前壁間に、前記オプションユニットより給紙された記録材を給紙ローラ若しくはレジストローラ入口端に反転させながら導くための垂直ガイド路を設けるようにしている。
そしてこのような垂直ガイド路は記録材の反転給紙を行う際の給紙抵抗を極力少なくするために、該ガイド路を形成する搬送リブ間の空隙間隔を極力広く設定しているが、このように構成すると記録材給送時に、記録材の倒れやバタツキが生じ、スキュー等が発生し易い。
【０００６】
【発明が解決しようとする技術的課題】
本発明はかかる従来技術の欠点に鑑み、下方より例えば垂直ガイド路により、該ガイド路上方に位置するレジストローラ入口端側に向け、直接若しくは間接的に記録材を反転給紙する装置において、給紙抵抗を少なくするために、前記ガイド路の空隙間隔を極力広く設定しても、記録材の倒れやバタツキが生じる事なく、円滑に給送可能にした画像形成装置を提供することにある。
本発明の他の目的は、ジャムの発生の抑制と共に、例えジャムが発生してもその処理が極めて容易な画像形成装置を提供することにある。
又本発明の他の目的は製造上からも、又構成も簡単にして、更には使用者の使い勝手も極めて好ましい画像形成装置を提供することにある。
【０００７】
【課題を解決する為の手段】
本発明は、装置本体１内に収納した例えば給紙カセット２（第１の給紙部）より記録材を反転させながらレジストローラ４入口端側に導く反転用給紙パス路５０の始端側を、装置本体１の底側に配設した例えばオプション給紙ユニット６０（第２の給紙部）の給紙開口位置まで延在開口し、給紙カセット２及びオプション給紙ユニット６０より給紙された記録材が、いずれも前記給紙パス路５０で反転されながらレジストローラ４入口端側に向けて給送可能に構成した画像形成装置に適用されるもので、
その特徴とするところは、前記記録材を強制湾曲させながら、前記レジストローラ４入口端より延在するレジストガイド路１９に導くためのガイド壁４７を、反転用給紙パス路５０内の一側に形成すると共に、
前記給紙カセット２より給紙された記録材先端が当接する前記ガイド壁４７の所定部位（第１のガイド壁部位４７ａ）を凹設して幅広のパス路５０ａを形成し、
更に前記第１のガイド壁部位４７ａより下流側に位置する第二のガイド壁部位４７ｂを、前記幅広パス路５０ａよりレジストガイド路１９の入口端まで徐々に狭幅になるごとく形成し、
一方、前記給紙開口５０ｄ位置より第１のガイド壁部位４７ａに至る第三のガイド壁部位４７ｃを、前記オプション給紙ユニット６０よりの記録材のパス路が徐々に狭幅になる如くふくらみをもたせて形成した事を要旨とし、
請求項１記載の発明では、前記第一の給紙部２に設けた給紙ローラ１７を、前記第一のガイド壁部位４７ａと直接対面させて、該給紙ローラ１７の周面が幅広のパス路５０ａの一部をなすように構成した特徴とするものである。
又請求項３記載の発明ではレジストガイド路１９上空間壁１９ａを該ガイド路入り口側にふくらみをもたせてその後レジストローラ４入口側に進むに連れ徐々に挟幅に形成した事を特徴とする。
【０００８】
かかる技術手段によれば給紙カセット２より引出され、Ｕ字状に反転される第１のガイド壁部位４７ａを凹設して幅広のパス路５０ａを形成しているために、給紙抵抗を小さく且つ強制湾曲させるための曲率も大きく取ることが出来る。
又オプションユニット６０からの搬送も、給紙開口５０ｄ位置より幅広のパス路５０ａに至るパス路５０ｃが徐々に狭幅になる如く形成しているために、例え垂直ガイド路の様に垂直に搬送させる場合でも記録材の遊びを抑えた状態で幅広のパス路５０ａに進入される構成を取ることとなり、この結果記録材がばたつくことなく反転が可能となる。
【０００９】
そして前記いずれの場合もレジストガイド路１９の入口端に導かれる出口通路５０ｂが徐々に狭幅になるごとく形成されているために、結果としてオプションユニット６０側より給紙された記録材においては第１のガイド壁部位４７ａの両端側に位置する第３及び第２のガイド壁部位４７ｃ、４７ｂにより両端規制された状態でレジストガイド路１９に進入させることが出来、一方給紙カセット２より給紙された記録材においては第１のガイド壁部位４７ａを挟んで給紙ローラ１７と第２のガイド壁部位４７ｂにより両端規制された状態でレジストガイド路１９に進入させることが出来、いずれの場合も円滑な給紙が可能となる。
この結果反転給紙部の給紙間隔を極力広く設定して給紙抵抗を少なくしても記録材給送時に、記録材の倒れやバタツキが生じる事なく、スキュー等の発生を防止しつつ円滑な給紙が可能となる。
【００１０】
特に請求項１記載の発明では、前記第一の給紙部２に設けた給紙ローラ１７を、前記第一のガイド壁部位４７ａと直接対面させて、該給紙ローラ１７の周面が幅広のパス路５０ａの一部をなすように構成することによりその部位におけるパス路５０ａを一層大きくすることが出来ると共に、給紙ローラ１７の周面がパス路５０ａにおける駆動搬送周面としても機能し、一層円滑な給紙が可能となる。
【００１１】
又前記第１の給紙部が装置本体１より引き出し可能な給紙カセット２で構成した場合、該カセット２の前壁側３２に反転用給紙パス路５０を設けることにより、ジャムが生じた場合においても、給紙カセット２を引出すだけで、カセット前壁３２内壁のガイド壁４７が簡単に開放され、ジャム処理が極めて容易化する。尚前記発明は前記反転用給紙パス路５０を必ずしも垂直ガイド路のみに限定されるものではなく、又前記第二第三の発明における第２の給紙部もオプション給紙ユニット６０のみに限定するものでなく、積層された下段側の給紙カセットである場合も含む。
【００１２】
【実施例】
以下、図面に基づいて本発明の実施例を例示的に詳しく説明する。但しこの実施例に記載されている構成部品の寸法、材質、形状、その相対配置などは特に特定的な記載がない限りは、この発明の範囲をそれのみに限定する趣旨ではなく単なる説明例に過ぎない。
【００１３】
図３は本発明の実施例に係るページプリンタの概略内部構成を示し、下方より仕切り壁１Ｅを介して給紙カセット収納空間１Ａ、ボード取付け空間１Ｂ、プロセスユニット取付け空間１Ｃの３つに区分けするとともに、給紙カセット２の装置前端底面に給紙開口５０ｄ２Ａを設け、該給紙開口５０ｄ２Ａに連設させて図１に示すようなオプションとしての給紙ユニット６０（図１参照）が装着されている。
【００１４】
プロセスユニット取付け空間１Ｃはボード取付け空間１Ｂを仕切る仕切り壁１Ｄの上面に沿って、レジストガイド路１９、該ガイド路１９の入口端を矩形状に凹設して該凹設部１９ａに回転自在に軸支させた中間給紙ローラ１８、レジストローラ対４、転写ローラ５と感光体ドラム６、及び定着ユニット７が配設されており、
一方、感光体ドラム６周囲には、ドラム回転方向（反時計回り）に沿ってクリーナ１１、粒子帯電ユニット１２、ＬＥＤユニット１３、及び現像ユニット１４が配設されており、クリーナ１１により残留トナーが除去された感光体ドラム６上を粒子帯電ユニット１２により均一帯電をさせた後、ＬＥＤユニット１３により画像情報に対応した露光潜像の書込みを行い、現像ユニット１４により前記潜像を可視像化してトナー像を形成した後、転写ローラ５により記録紙側に転写される。
【００１５】
又、前記中間転写ローラ８の出口端には手動の切り換えレバー４９が配設されており、該切り換えレバー４９の切り換え操作により、装置後端側に設けた排紙トレー４１上に上面排紙にて排紙される。１６は装置前壁側に設けた表示パネル取付け部である。
【００１６】
そして図１に示すように、前記レジストローラ４入口側のレジストガイド路１９には、記録紙の通過により揺動するアクチュエータ４６ａを具えた記録紙後端検知センサ４６が配設されており、該後端検知センサ４６よりレジストローラ４を越えて転写ローラ５の転写位置に至る給送距離Ｌを、感光体ドラム６回転方向（矢印方向）に沿う粒子帯電ユニット１２の帯電ローラ（磁石集成体が内挿された帯電スリーブ）の帯電位置から転写ローラ５までの距離（帯電距離Ｐ）より大に設定している。
【００１７】
尚前記構成を取ることにより帯電位置のドラム回転方向下流側にある露光位置から転写位置までの距離（露光距離Ｒ）は当然に給送距離Ｌより小となる。
【００１８】
かかる実施例によれば後記に説明する給紙カセット２より引出された手差し給紙部３４、給紙カセット２、若しくは図１に示す給紙ユニット６０より選択的に給送された記録紙が、中間給紙ローラ１８、レジストガイド路１９を通ってレジストローラ４入口端で待機された後、粒子帯電ユニット１２により感光体ドラム６を全面帯電させた後、ＬＥＤユニット１３により露光を行い、更に現像ユニット１４により現像を行って感光体ドラム６に担持させたトナー像始端と同期させてレジストローラ４を回転させる事により、転写ローラ５により前記トナー像を転写させ、更に定着ユニット７の定着ローラ対７ａを挿通させて画像定着を行った後、中間排紙ローラ８、排紙ガイド４０及び排紙ローラ対９を介して、装置上面側の排紙トレー部１０に排紙される。
【００１９】
そして前記画像形成動作途中で記録紙後端がレジストローラ４の入口側を通過すると、アクチュエータの揺動により後端検知センサ４６がこれを検知し、その検知信号を基板３上に設けた不図示の制御回路に送信する。
制御回路側では、前記検知信号に基づいて粒子帯電ユニット１２の帯電バイアス、ＬＥＤユニット１３の像書込み、更に現像ユニット１４の現像バイアスを夫々順次停止し、感光体ドラム６に担持させたトナー像終端が記録紙後端を越えないように制御する。
勿論この場合、感光体ドラム６の感光体層がアモルファスシリコンで形成されている場合は、ドラム疲労を余り考慮することなく、この場合は給送距離Ｌ＞露光距離Ｒに設定し、前記検知信号に基づいて粒子帯電ユニット１２の帯電を継続した状態で、ＬＥＤユニット１３の像書込みのみを停止しても良い。
【００２０】
一方、ボード取付け空間１Ｂは下面側に位置する仕切り壁１Ｅ上に設けた脚３Ａ上に基板３が設置可能にして且つ側壁に設けたガイド３Ｂに沿って、該基板３を図上右方の後壁より抜出可能に構成する。
【００２１】
カセット収納空間１Ａは、本装置がＡ４サイズと対応する装置長さしか有さず、一方前記給紙カセット２はＢ４若しくはレターサイズも対応可能なユニバーサルカセットで構成されているために、給紙カセット２が挿脱される前壁と共に、装置本体１の後壁を開放し、Ｂ４若しくはレターサイズを収納する際に、前記カセット２の後端より後端規制部材の一部をなし、記録紙の後端規制を行うための垂直規制板２１が延出可能に構成している。
【００２２】
又カセット収納空間１Ａの前側上端に給紙ローラ１７が設けられ、コイルスプリング２７により上方に向け付勢された載置板２６を介してカセットの記録紙収納部に収納された記録紙が給紙ローラ１７周面と接触可能に構成している。
【００２３】
次に給紙カセット２の全体構成について図４に基づいて説明する。
図４において、２０は記録紙収納部として機能するカセットベースで後端側に垂直壁を設けずにフラット状に形成すると共に、該後端にベース２０側に設けた位置規制部位２２により位置規制されながらカセット長手方向に沿って進退する後端規制部材２１を取付け、該後端規制部材２１の進退操作により移動する後端規制部位２１１をベース２０後端上に位置させる事によりＡ４サイズの位置規制が、そして該後端規制部位２１１をベース２０後端より更に外方に向けて延出させる事により、Ｂ４若しくはレターサイズの後端規制が行われ、一方前記後端規制部位２１１をベース２０内側に移動させることによりＡ４より小さいＢ５若しくは葉書サイズの長さの後端規制を行う事が出来る。
【００２４】
２３は一対の幅規制板でベース２０短手方向中央に軸支させた歯車２４とこれと歯合するラックにより左右対称に幅方向に移動し、これによりＢ４から葉書サイズまでの任意のサイズの記録紙の幅規制が可能となる。
幅規制板２３のラック２５前側のベース２０上には、平板偏平凸形状の載置板２６が、ラック２５近傍に設けた支点２６ａを中心として上方に向け揺動可能に軸支されている。
【００２５】
そして前記載置板２６とベース２０間のベース短手方向左右両側には、コイルスプリング２７を介装し、載置板２６を上方に向け付勢している。
又載置板２６は左右両側のベース側壁２０Ａ位置まで延設し、該延設位置に前記したリブ４２と対面する三角突起４３を立設する。
又、前記載置板２６の前側角隅部には、前側に向け矩形状の爪部２９が延設し、一方ベース前端側には前記爪部２９と係合して、前記載置板を付勢力に抗してベース２０上に沿って伏設させる係合爪３６を設ける。
【００２６】
そして前記係合爪３６は、ベース側壁２０Ａ外壁面側に設けたロックレバー３０と一体的に揺動可能に構成し、一方前記給紙ローラ１７下方の本体側壁には後記するロックレバー３０と係合するロックピン４０が内側に向け突設する。
【００２７】
これにより前記給紙カセット２を引出す事により、給紙カセット２の三角突起４３が本体リブ４２側を乗越える際に、コイルスプリング２７の弾性力に抗して、載置板２６が下方に押圧されながら、図５に示すロックレバー３０の係合爪３６にカセット２の爪２９が係合される。従って前記係合により、載置板２６がコイルスプリング２７の弾性力に抗してベース２０側に伏設され、容易に記録紙の装填を行なう事が出来、一方給紙カセット２を装填動作を行なうと、カセットロックレバー３０の先端が本体側ピン４０により押圧されてロックレバー３０に付勢したバネ５１に抗して下方に揺動しながら該ピン４０に係合するとともに、前記ロックレバー３０の下方への揺動により、前記係合爪部３６が係合位置から退避し、前記係合爪３６との係合解除により、前記と同様に載置板２６に載置された記録紙が給紙ローラ１７周面に当接され、そして前記バネ５１により上方に付勢されたロックレバー３０は、本体側ピン４０との係合により位置決めロックされ、摩擦板３４の摩擦圧も常に一定となる。かかる点は本発明の要旨でない為に詳細な説明は省略する。
【００２８】
さて、３２はカセット引き出し部として機能する前壁で、表示パネル取付け部１６の下面位置まで立設させるとともに、その上面のスリット開口３２Ａに手差し給紙機構３４を嵌設させる。
手差し給紙機構３４は、幅方向に移動する一対の幅規制板３４２が取付けられた手差し給紙台３４１からなり、該給紙台３４１を前記スリット開口３２Ａより上方に向け引出すと共に、手前側に所定角度倒伏させて手差し給紙面として機能する。
一方、カセット前壁３２の内壁側は、前記レジストガイド路１９の入口端と対面する位置まで立設すると共に、給紙ローラ１７により給紙された記録材を、前記レジストガイド路１９入口端に導くためのリブ状ガイド壁４７を複数形成する。
又前記ガイドリブ４７に沿って記録紙収納部との間に反転給紙パス路５０を形成する。
【００２９】
以下これらについて詳細に説明する。
反転用給紙パス路５０は、その始端側を、装置本体１の底側に配設したオプション給紙ユニット６０の給紙開口５０ｄ位置まで延在開口し、給紙カセット２及びオプション給紙ユニット６０より給紙された記録材が、いずれも前記給紙パス路５０で反転されながらレジストガイド路１９の入口端側に向けて給送されるよう構成する。
反転用給紙パス路５０に対面するカセット前壁３２の内壁側に幅方向に適宜間隔で複数のリブ状ガイド壁４７が形成されており、該ガイド壁４７は、前記給紙カセット２より給紙ローラにより給紙された記録材先端が当接する所定部位（第１のガイド壁部位４７ａ）を略弧状に凹設して幅広の曲率パス路を形成し、更に前記第１のガイド壁部位４７ａよりレジストガイド路１９に至る第二のガイド壁部位４７ｂを、レジストガイド路１９の入口端まで徐々に狭幅になるごとくほぼ直線状に傾斜させて形成し、一方、前記給紙開口５０ｄ位置より第１のガイド壁部位４７ａに至る第三のガイド壁部位４７ｃは紡錘状にふくらみをもたせて形成し、前記オプション給紙ユニット６０よりのパス路５０ｃが徐々に狭幅になる如く形成する。
そして、前記給紙ローラ１７を、前記第一のガイド壁部位４７ａと直接対面させて、該給紙ローラ１７の周面が幅広のパス路５０ａの一部をなすように構成することによりその部位におけるパス路５０ａを一層大きくし、前記給紙ローラ１７の周面がパス路における駆動搬送周面としても機能させる事が出来る。
【００３０】
給紙ユニット６０は公知の様にバネ６２により上方に付勢され、多数枚の記録紙を載積する載置板６１、該載置板６１の前側上方位置に軸支された給紙ローラ６３、該給紙ローラ６３により給紙された記録紙を装置本体１側の給紙開口５０ｄに導くための給紙ガイド６４を具えたユニット本体６０Ａと、該ユニット本体６０Ａを矢印方向に引出し可能に収納するハウジング６０Ｂからなる。
【００３１】
そして前記給紙ローラユニット６０の載置板６１上方に位置する記録材載置域から外れたハウジング６０Ｂ側面に、一対のアクチュエータ５５、５６と、該アクチュエータ５５、５６の自由端側の検知片５５ｂ、５６ｂの集合位置に一の紙無し検知センサ５７を配設する。
紙無し検知センサ５７は、前記夫々のアクチュエータ５６が進入可能な凹部５７ａを具えた断面コ状に形成され、その対面する両側面に受光素子５７１と発光素子５７２を設け、前記いずれかの検知片５５ｂ、５６ｂが前記凹部５７ａに進入することによりセンサ信号をＯＦＦとし紙なしと判断するように構成する。
【００３２】
一のアクチュエータ５６は、上側に位置する揺動片５６ａを装置本体１の底部に設けた窓部５８より載置板２６の底面位置に当接するようにに延在させ、該載置板２６の上昇下降により揺動し、該載置板２６上に載置した記録紙がエンプティになった位置まで上昇した時点で下端側検知片５６ｂが、紙無し検知センサ５７の受光面を遮るように支軸５６ｃに軸支させる。
他のアクチュエータ５５は、下側に位置する揺動片５５ａを給紙ユニット６０側載置板６１の記録紙収納部から外れた上面位置に当接するように延在させ、載置板６１の上昇下降により揺動し、該載置板６１上に載置した記録紙がエンプティになった位置まで上昇した時点で上端側検知片５５ｂが、紙無し検知センサ５７の受光面を遮るように支軸５５ｃに軸支させる。
【００３３】
これにより図２（Ａ）に示すように、前記給紙ユニット６０若しくは給紙カセット２の揺動を検知するアクチュエータ５５及び５６の検知片５５ｂ、５６ｂが進入した場合、受光素子５７１側への受光が阻止され、紙無し状態にあると判断できる。
又図２（Ｂ）に示すように、前記発光素子と受光素子の代りに近接スイッチＳＷ１、ＳＷ２をコの字状壁に配し、一方検知片５５ａ、５６ａ側を金属板で構成することにより、コの字状壁夫々で対応するアクチュエータ５６の進入を検知でき、これによりいずれの給紙部（給紙ユニット６０若しくは給紙カセット２）の紙無しを近接スイッチＳＷ１、ＳＷ２よりセンサ出力により精度よく検知出来る。
【００３４】
尚、次に給紙カセット２及び給紙ユニット６０よりの給紙動作について説明する。
先ず前記紙なしセンサ５７より紙有りの信号が出された後、給紙カセット２より給紙を行う為に給紙ローラ１７が回転すると、給紙ローラ１７の回転にしたがって前記第一のガイド壁部位４７ａに記録紙先端が当接した後、該ガイド壁４７ａの弧状面に沿って上方に強制湾曲させられるが、この際該湾曲部位のパス路５０ａは幅広に形成されており、而も給紙ローラ１７の周面がパス路５０ａにおける駆動搬送周面としても機能し、給紙抵抗が少なく円滑な給紙が可能となる。
その後記録紙はレジストガイド路１９の入口端に導かれる訳であるが、この際前記パス路５０の出口通路５０ｂは第２のガイド壁部位４７ｃにより徐々に狭幅になるごとく形成されているために、結果として第１のガイド壁部位４７ａを挟んで給紙ローラ１７と第２のガイド壁部位４７ｂにより両端規制された状態で精度よくレジストガイド路１９に進入させることが出来る。
又オプションユニット６０からの搬送も、該ユニット６０の給紙ローラ１７の回転により給紙ガイド６４を通って給紙開口５０ｄ位置より垂直方向に反転パス路５０内に進入し、その後ふくらみを持たせたガイド壁部位４７ｃに沿って記録紙の遊びを抑えた状態で幅広のパス路５０ａに進入され、そして記録材を前記ガイド壁４７の狭幅部分で保持しながら該幅広のパス路５０ａ内で強制反転させながら、レジストガイド路１９の入口端に導かれる訳であるが、この際第１のガイド壁部位４７ａの両端側に位置する第３及び第２のガイド壁部位４７ｂ、４７ｃにより両端規制された状態でレジストガイド路１９に進入させることが出来る。
【００３５】
【発明の効果】
以上記載のごとく本発明によれば、下方より例えば垂直ガイド路により、該ガイド路上方に位置するレジストローラ入口端側に向け、直接若しくは間接的に記録材を反転給紙する装置において、給紙抵抗を少なくするために、前記ガイド路の空隙間隔を極力広く設定しても、記録材の倒れやバタツキが生じる事なく、円滑に給送可能にする事が出来る。
又本発明によれば、前記反転給紙路上におけるジャムの発生の抑制と共に、例えジャムが発生してもその処理が極めて容易となる。
又本発明によれば製造上からも、又構成も簡単にして、更には使用者の使い勝手も極めて好ましい画像形成装置を得る事が出来る。
等の種々の著効を有す。
【図面の簡単な説明】
【図１】本発明の実施例に係る給紙ユニットが装着された画像形成装置の前壁側の要部拡大断面図である。
【図２】給紙ユニットと給紙カセットの記録材の紙無しの有無を検知する作用図である。
【図３】本発明の実施例に係る画像形成装置の全体構成を示す。
【図４】給紙カセットの全体平面図である。
【図５】図４の要部平面拡大図で、特にカセット前側の形状を示す。
【符号の説明】
１      装置本体
２      給紙カセット
４      レジストローラ
５      転写ローラ
６      感光体ドラム
１２    帯電ユニット
１７    給紙ローラ
１９    レジストガイド路
２０    記録材収納部
３２    カセット前壁
３４    手差し給紙部
４６    後端検知センサ
４７    ガイド壁
４７ａ  第一のガイド壁部位
４７ｂ  第二のガイド壁部位
４７ｃ  第三のガイド壁部位
５０    給紙パス路
５０ａ  幅広のパス路
５０ｄ  給紙開口
５５、５６  アクチュエータ
５７    紙無し検知センサ
６０    給紙ユニット
【図１】
0003626466.tif 000002
【図２】
0003626466.tif 000003
【図３】
0003626466.tif 000004
【図４】
0003626466.tif 000005
【図５】
0003626466.tif 000006